(57)【特許請求の範囲】
【請求項１】
少なくとも１つのルミネセンスダイオードを含み、作動中に光（１１）を放射する光源（１）と、
前記光源（１）から作動中に放射される光（１１）のビームパス内の前記光源（１）と対象（５）との間の間隔（ｘ）を検出するための検出装置（２３）とを有している、ポータブルエレクトロニクスデバイス（１０）において、
前記検出装置（２３）は、前記対象（５）が前記ビームパス内で、最低持続時間の間、光源（１）から最小間隔（ｄ）の範囲内で検出された場合に、前記光源（１）から作動中に放射される光（１１）の光束を低減するように構成されていることを特徴とするポータブルエレクトロニクスデバイス。
【請求項２】
前記検出装置（２３）は、少なくとも１つの受信器（３、４、７）と少なくとも１つの送信器（２、１、６）とを含み、前記送信器（２、１、６）は、信号（２１、１１）を送信し、前記受信器は、前記対象（５）において反射された信号（３１）を検出し、前記間隔（ｘ）を、前記送信信号（２１）と、反射された信号（３１）との間の伝播時間の差分から算出するように構成されている、請求項１記載のポータブルエレクトロニクスデバイス。
【請求項３】
前記送信器（２、６）は超音波領域の信号（２１）、及び／又は、赤外線領域の信号（２１）、及び／又は、紫外線領域の信号（２１）を送信する、請求項２記載のポータブルエレクトロニクスデバイス。
【請求項４】
前記検出装置（２３）は、光源（１）を送信器として含んでいる、請求項２記載のポータブルエレクトロニクスデバイス。
【請求項５】
前記検出装置（２３）は、前記受信器（３，４，７）としてオートフォーカス装置のオートフォーカス受信器（７）を含んでいる、請求項２記載のポータブルエレクトロニクスデバイス。
【請求項６】
前記検出装置（２３）は、前記送信器（２，１，６）としてオートフォーカス装置のオートフォーカス送信器（６）を含んでいる、請求項５記載のポータブルエレクトロニクスデバイス。
【請求項７】
前記検出装置（２３）は、相互に依存せずに作動可能な少なくとも２つの受信器（３、４、７）を含んでいる、請求項２から６いずれか１項記載のポータブルエレクトロニクスデバイス。
【請求項８】
前記検出装置（２３）は、相互に依存せずに作動可能な少なくとも２つの送信器（２、１、６）を含んでいる、請求項２から７いずれか１項記載のポータブルエレクトロニクスデバイス。
【請求項９】
前記検出装置（２３）は、前記対象（５）の画像を検出し、前記光源（１）と前記対象（５）との間の前記間隔（ｘ）を、前記検出された画像中の当該対象（５）の大きさに基づいて推定できるように構成されている、請求項１記載のポータブルエレクトロニクスデバイス。
【請求項１０】
前記検出装置（２３）は、画像センサ（４）を含んでおり、該画像センサ（４）は、前記対象（５）の画像を検出するように構成されている、請求項９記載のポータブルエレクトロニクスデバイス。
【請求項１１】
前記検出装置（２３）は、画像識別装置を含んでおり、前記画像識別装置は、前記検出された画像中の対象（５）の大きさに基づき前記間隔（ｘ）を推定するように構成されている、請求項１０記載のポータブルエレクトロニクスデバイス。
【請求項１２】
前記ルミネセンスダイオードは発光ダイオードである、請求項１から１１いずれか１項記載のポータブルエレクトロニクスデバイス。
【請求項１３】
前記対象（５）は、人間の顔又は目である、請求項１から１２いずれか１項記載のポータブルエレクトロニクスデバイス。
【請求項１４】
少なくとも１つのルミネセンスダイオードを含み、作動中に光（１１）を放射する光源（１）と、
前記光源（１）から作動中に放射される光（１１）のビームパス内の前記光源（１）と対象（５）との間の間隔（ｘ）を検出するための検出装置（２３）とを有している、ポータブルエレクトロニクスデバイス（１０）において、
前記検出装置（２３）は、前記対象（５）が前記ビームパス内で、最低持続時間の間、前記光源（１）から最小間隔（ｄ）の範囲内で検出された場合に、前記光源（１）から作動中に放射される光（１１）の光束を低減するように構成されており、
ａ）前記検出装置（２３）は、画像センサ（４）を含んでおり、該画像センサ（４）は、前記対象（５）の画像を検出するように構成されており、
前記検出装置（２３）は、画像識別装置を含んでおり、該画像識別装置は、画像の評価と前記対象（５）の識別とを実施できるように構成されており、
前記検出装置（２３）は、前記光源（１）と対象（５）との間の間隔（ｘ）を、前記画像中の当該対象（５）の大きさに基づいて推定できるように構成されており、
又は、
ｂ）前記検出装置（２３）は、前記光源（１）を送信器として含んでおり、
前記検出装置（２３）は、前記光源（１）と対象（５）との間の間隔（ｘ）を、前記光源（１）による信号（１１、２１）の送信と、前記画像センサによる前記対象（５）において反射された信号（３１）の受信との間の伝播時間の差分に基づいて求めるように構成されており、
前記ルミネセンスダイオードは発光ダイオードであり、さらに、
前記対象（５）は、人間の顔又は目である、
ことを特徴とするポータブルエレクトロニクスデバイス。
【請求項１５】
前記ポータブルエレクトロニクスデバイスは携帯電話である、請求項１から１４いずれか１項記載のポータブルエレクトロニクスデバイス。
【発明の詳細な説明】
【技術分野】
【０００１】
本発明は、少なくとも１つのルミネセンスダイオードを含み、作動中に光を放射する光源と、前記光源から作動中に放射される光のビームパス内の対象を検出するための検出装置とを有している、ポータブルエレクトロニクスデバイスに関している。
【背景技術】
【０００２】
ポータブルエレクトロニクスデバイスの少なくとも１つの実施形態を挙げるとすれば、次のような電子機器が挙げられる。すなわち、ユーザーによって何等かの別の支援手段なしで移動させることが可能な電子機器である。つまりポータブルエレクトロニクスデバイスとは、ユーザーが当該ポータブルエレクトロニクスデバイスを気軽に携帯できる程度の軽さに選択された重量しか持たない電子機器のことである。例えばそのようなポータブルエレクトロニクスデバイスとして、光学的な投影機器、携帯電話、音楽や動画のための再生機器、ノートパソコンなどが挙げられる。そのようなポータブルエレクトロニクスデバイスは、有利には２５ｋｇよりは軽い重量を有しており、特に有利には３ｋｇよりも軽い重量、さらに有利には１ｋｇよりも軽い重量しか持たない。
【０００３】
ポータブルエレクトロニクスデバイスの少なくとも１つの実施形態によれば、このポータブルエレクトロニクスデバイスは、作動中に光を放射する光源を有している。この光源は、その動作中に例えば有色の光又は白色の光を放射する。そのために当該光源は少なくとも１つのルミネセンスダイオードを含んでいる。例えば前記光源は、１つ若しくは複数のルミネセンスダイオードからなっていてもよい。すなわち、作動中に光源から放射される光が１つ若しくは複数のルミネセンスダイオードによって生成されている。この少なくとも１つのルミネセンスダイオードとは、例えばレーザーダイオードであってもよいし、有利には発光ダイオードであってもよい。またこの光源はさらに別の光学系、例えばレンズなどを含んでいてもよい。この光学的は、前記ルミネセンスダイオードに後置接続され、それによって少なくとも１つのルミネセンスダイオードから作動中に生成された電磁ビームの大半がこの光学系を通って入射される。この光学系は例えば、電磁ビームのメイン照射方向を変更させるのに適した構成であってもよい。
【０００４】
本発明による少なくとも１つの実施形態によれば、前記ポータブルエレクトロニクスデバイスが、作動中に光源から放射される光のビームパス内の対象を検出するための検出装置を含んでいる。このことは、当該検出装置が、光源のビームパス内に対象が存在しているか否かを識別するように構成されていることを意味する。この対象とは、当該光源の光によって照明される対象である。その際には、当該検出装置は次のような対象だけを識別することが可能である。すなわち、光源のビームパス内において当該光源のメイン照射方向に存在している対象のみである。この場合のメイン照射方向とは、光源からの光が最大強度で放射される方向のことである。光源のビームパス内の対象の検出範囲は、ここでは有利には、光源前方の比較的小さな領域にのみ延在する。例えば前記検出装置は、光源のビームパス内の次のような対象だけを識別するようにしてもよい。すなわち、光源から最大２ｍの間隔にある対象、特に有利には光源から最大１ｍの間隔にある対象である。
【０００５】
ポータブルエレクトロニクスデバイスの別の少なくとも１つの実施形態によれば、前記検出装置は、対象が、光源から放射される光のビームパス内で最低持続時の間、光源から最小間隔の範囲内で検出された場合に、前記光源から作動中に放射される光の光束を低減するように構成されている。すなわちこのことは、対象がビームパス内で最低持続時間の間、最小間隔の範囲内にあったときには、検出装置が光源から作動中に放射される光の輝度及び／又は光束を、光源が完全に遮断されるまでの方向に低減することを意味する。前記光束の低減または光源の遮断は、観察者の目を眩ませたり損なわせたりすることがないようにするために、所定の条件に達した直後にできるだけ迅速に行われる。例えば前記光束の低減又は光源の遮断は、例えば最大で１秒以内に、有利には１/１０秒以内に行われてもよい。
【０００６】
前記最低持続時間は、この場合例えば少なくとも２秒であり、有利には少なくとも５秒であり、特に有利には少なくとも１０秒である。また前記最小間隔は、例えば最大で５０ｃｍであり、有利には最大で３０ｃｍであり、特に有利には最大で２０ｃｍである。すなわち、これらのことが意味するのは、例えば対象が、光源から作動中に放射された光のビームパス内で、１０秒よりも長い間、２０ｃｍよりも短い間隔に存在する場合には、前記検出装置が、光源から作動中に放射される光の光束及び／又は輝度を低減するか、又は、前記検出装置が当該光源を完全に遮断することを意味する。この場合の遮断とは、値０までの光束の低減に相応する。前記最低持続時間と最小間隔に対する実際値は、この場合、当該光源から放射された光の強度に依存している。
【０００７】
本発明によるポータブルエレクトロニクスデバイスの別の少なくとも１つの実施形態によれば、このデバイスが、少なくとも１つのルミネセンスダイオードを含みかつ作動中に光を放射する光源と、当該光源から作動中に放射される光のビームパス内の対象を検出するための検出装置とを含んでいる。ここで前記検出装置は、対象がビームパス内で最低持続時間の間、光源から最小間隔の範囲内で識別された場合に、光源から作動中に放射される光の光束を低減するように構成されている。
【０００８】
対象の検出に対しては、まず、本当に対象が、光源から作動中に放射される光のビームパス内にあるのかどうかを識別できるように、検出装置が構成されていることで十分である。その上さらに、前記検出装置は、どの対象若しくはどのクラスの対象が、光源から作動中に放射される光のビームパス内にある対象であるのかを識別できるように構成されていてもよい。
【０００９】
特に発光ダイオードは例えば、携帯電話内の光源として、ビデオライト又は懐中電灯の光源として、あるいは光学的な投影機器の光源として利用できるものであり、これらの分野での目覚ましい技術革新に基づいてその光量が日々増加してきているものである。そのため、保安上の理由から、多くのメーカーが、ポータブルエレクトロニクスデバイス、例えば内部に光源が用いられている携帯電話に、レーザー警告指示機能を備えさせること、あるいは、当該のデバイスを、例えばＩＥＣ６２４７１規格によるリスクグループに割り当てることを決定している。ここではそのような警告指示機能を省略することができ、それにも係わらずに、高い安全性のもとで作動させることのできる（特に人間の目に対する安全性の高められた）、ポータブルエレクトロニクスデバイスが得られるようにするために、ここで説明するポータブルエレクトロニクスデバイスでは次のような装置の使用が提案されている。すなわち、人である観察者において生じ得る危険性を回避するために、光源から作動中に放射される光の光束及び／又は輝度を低減することができる装置である。さらにここで説明する手段によれば、利用者にとって不快な眩しさではあるが、危険とまではいかないようなものも避けることができるようになる。
【００１０】
本発明によるポータブルエレクトロニクスデバイスの少なくとも１つの実施形態によれば、前記検出装置が少なくとも１つの受信器と少なくとも１つの送信器を有し、この場合前記送信器は信号を送信し、前記受信器は、対象において反射した信号を検出できるように構成されている。例えば、信号の送信と反射された信号の受信との間の伝播時間の差分からは、当該装置によって、光源と、当該信号が照射された対象との間の間隔を求めることができる。その場合の信号の照射方向は、次のように選択される。すなわち、当該信号の照射方向が、少なくとも光源から作動中に放射された光のメイン照射方向と一致するように選択される。そのためこのような手段で、当該検出装置によって、光源から作動中に放射される光のビームパス内の対象が検出できるようになる。前記検出装置はさらに、送信された信号と反射された信号のさらなる違いに関して、例えば、強度、振幅、対象の位相特性などにおいてどのように違うかを求めることができる。
【００１１】
例えば前記検出装置は、このようにして、人間の顔若しくは目と、白壁との間で区別ができるようになる。光源の光束の低減は、識別された対象が所定の確率で人間の顔若しくは目であることが判別されたときにのみ行われる。
【００１２】
前記ポータブルエレクトロニクスデバイスの別の少なくとも１つの実施形態によれば、送信器が、超音波領域、及び／又は、赤外線領域、及び／又は紫外線領域の信号を送信する。すなわち、前記送信器は、人間にとって聴覚不能な信号、及び／又は、視覚不能な信号を送信している。前記装置の１つ又は複数の受信器もそれに対してそれぞれの信号が検出できるように相応に構成されている。前記検出装置は、複数の送信器、例えば２つの送信器と、複数の受信器、例えば２つの受信器とを含んでいてもよい。それらは様々なタイプの信号を送受信する。例えば前記検出装置は、超音波方式の送受信システムを含んだものであってもよいし、赤外線方式の送受信システムを含んだものであってもよい。両システムの情報は、対象までの間隔のより良好な推定のために利用してもよいし、及び／又は、対象のより良好な検出のために利用してもよい。さらに少なくとも２つのシステムの利用は、より良好な冗長性にもつながる。
【００１３】
前記ポータブルエレクトロニクスデバイスのさらに別の少なくとも１つの実施形態によれば、前記検出装置に対して、いずれにせよ当該デバイス内に既存の受信器及び／又は送信器が利用される。このようなデバイスでは、それに対して、例えば制御及び評価回路を具備するか又は相応のプログラミング変更を施される。それにより、当該デバイス内に既存のコンポーネントが対象の検出のために利用することができるようになる。
【００１４】
本発明によるポータブルエレクトロニクスデバイスの別の少なくとも１つの実施形態によれば、前記検出装置が、ポータブルエレクトロニクスデバイスのオートフォーカス装置のオートフォーカス受信器を含んでいる。このことはつまり、当該ポータブルエレクトロニクスデバイスが、当該デバイス内で画像撮影の際にモチーフを鮮明に設定するように構成されている装置に用いられる受信器を含んでいることを意味している。本発明によれば、このような受信器が、光源のビームパス内の対象を検出するための検出装置にも用いられる。
【００１５】
別の少なくとも１つの実施形態によれば、前記検出装置がオートフォーカス装置のオートフォーカス送信器を含んでいる。このケースでは、アクティブオートフォーカス装置用のオートフォーカス送信器が、光源から作動中に放射される光のビームパス内の対象を検出するための検出装置にも用いられている。ここでのオートフォーカス送信器とは、例えば次のような送信器である。すなわち、超音波領域の信号、及び／又は、赤外線領域の信号、及び／又は、紫外線領域の信号、及び／又は、可視の赤色スペクトル領域の信号などを送信することのできる送信器である。
【００１６】
さらに本発明による前記ポータブルエレクトロニクスデバイスの別の少なくとも１つの実施形態によれば、前記検出装置が、対象の画像を検出できるように構成された画像センサを含んでいる。このケースにおいても、当該画像センサと共にポータブルエレクトロニクスデバイスの次のようなコンポーネントが使用可能である。すなわち、いずれにせよ当該デバイス内に既存のコンポーネントである。例えば画像センサは、ＣＣＤチップを含んでおり、このＣＣＤチップは、当該ポータブルエレクトロニクスデバイス内で画像の撮影のために、及び／又は、ビデオ撮影のために利用されるものである。ここでの対象は、当該画像センサ上に結像され、そこにおいて画像として認識される。
【００１７】
前記ポータブルエレクトロニクスデバイスの別の少なくとも１つの実施形態によれば、前記検出装置が次のような画像識別装置を含んでいる。すなわち、画像を評価し、対象を識別することができるように構成された画像識別装置である。このケースでは、当該検出装置は、送信器を利用しなくても信号を送信することが可能である。この画像識別装置を介して、当該検出装置は例えば次のように構成される。すなわち、対象を、例えば人間の顔若しくは目と、白壁との間で区別ができるようになるまでの識別能力を備えるように構成される。それによりこの検出装置は、光源と対象との間の間隔を、画像中の対象の大きさに基づいて推定できるようになる。本来の離間距離測定は、例えば画像識別装置を用いて、人間の顔若しくは目であることが認識でき、さらに人間の顔若しくは目のサイズに対する平均値を利用して、光源と観察者との間の間隔を、画像中の人間の顔若しくは目のサイズに基づいて推定できるのであるならば、不要となる。
【００１８】
さらに本発明による前記ポータブルエレクトロニクスデバイスのさらに別の少なくとも１つの実施形態によれば、当該ポータブルエレクトロニクスデバイスの光源が、前記検出装置の送信器を形成している。対象から反射された光源の光は、例えば既に当該ポータブルエレクトロニクスデバイス内に存在し得るような画像センサによっても検出が可能である。例えば前記検出装置に対しては当該ポータブルエレクトロニクスデバイスのビデオライト、ＣＣＤチップ等が利用されてもよい。
【００１９】
前記ポータブルエレクトロニクスデバイスの別の少なくとも１つの実施形態によれば、前記検出装置が少なくとも２つの相互に独立して作動可能な送信器、及び／又は、少なくとも２つの相互に独立して作動可能な受信器を含み得る。このことは、すなわち、当該検出装置が冗長性のあるシステムであることを意味し、このシステムは少なくとも２つの相互に依存しないで独立して作動可能な個別システムを有し、この個別システムが検出のために及び／又は対象の検出のために構成されている。このようにして、当該検出装置は、故障に対する大きな耐性を伴って作動可能であることが保証される。
【００２０】
以下では本発明によるポータブルエレクトロニクスデバイスを図面と実施例に基づいて詳細に説明する。
【図面の簡単な説明】
【００２１】
【図１Ａ】本発明によるポータブルエレクトロニクスデバイスの第１実施例を概略的に示した図
【図１Ｂ】本発明によるポータブルエレクトロニクスデバイスの第１実施例の別の概略図
【図２Ａ】本発明によるポータブルエレクトロニクスデバイスの第２実施例を概略的に示した図
【図２Ｂ】本発明によるポータブルエレクトロニクスデバイスの第２実施例の別の概略図
【図３Ａ】本発明によるポータブルエレクトロニクスデバイスの第３実施例を概略的に示した図
【図３Ｂ】本発明によるポータブルエレクトロニクスデバイスの第３実施例の別の概略図
【図４Ａ】本発明によるポータブルエレクトロニクスデバイスの別の実施例を概略的に示した図
【図４Ｂ】本発明によるポータブルエレクトロニクスデバイスの別の実施例を概略的に示した図
【図５Ａ】本発明によるポータブルエレクトロニクスデバイスの別の実施例を概略的に示した図
【図５Ｂ】本発明によるポータブルエレクトロニクスデバイスの別の実施例を概略的に示した図
【実施例】
【００２２】
前記図中において同じ部材、同じような態様の部材、機能の同じ部材については同じ符号を伏している。またこれらの図面自体とそれらの中で示されている部材相互間のサイズ比については必ずしも縮尺通りに示されたものではない。それどころか個々の部材を見易くする理由から及び／又は理解し易くする理由から実際よりも拡大して示されているものもある。
【００２３】
図１Ａには、ここで説明するポータブルエレクトロニクスデバイス１０の概略図が示されている。また図１Ｂにはこのデバイス１０の別の概略図が示されている。図１Ａ、図１Ｂの第１実施例によれば、ポータブルエレクトロニクスデバイス１０が光源１を含んでおり、この光源１は、例えばルミネセンスダイオードによって形成されている。光源１の作動中はこれが光１１を放射する。
【００２４】
このデバイス１０は例えば画像センサ４を含んでおり、該画像センサ４は例えばＣＣＤチップを含んでいる。ポータブルエレクトロニクスデバイスは、例えばカメラを備えた携帯電話であってもよい。
【００２５】
前記デバイス１０は、さらに検出装置２３を含んでおり、該検出装置２３によって、前記光源１の光１１のビームパス内の対象５を識別／検出することができる。この検出装置２３は、本発明によれば、送信器２と受信器３とを有している。この送信器２は、その作動中に信号２１を当該デバイス１０から離れる方向に送信する。この信号２１が送信される方向とは、ここでは次のように選択されている。すなわち、当該信号２１が光１１のビームパス内の対象５に当接するように選択されている。この対象５からは当該の信号が反射される。ここで反射された信号３１は、受信器３に入射する。
【００２６】
送信された信号２１と、反射された信号３１とは、この場合例えば超音波信号、赤外線信号、または紫外線信号であり得る。送信器２と受信器３とは相応に選択される。
【００２７】
送信された信号２１と反射された信号３１の間の差分からは、当該検出装置２３によって、対象５と光源１との間の間隔ｘが求められる。この間隔は、例えば、前記信号２１の送信と、反射された信号３１の受信との間の伝播時間の差分から算出することが可能である。また、前記検出装置２３による対象のさらなる検出のために、前記送信した信号２１と反射された信号３１の間のさらなる差分を用いることも可能である。対象５が所定の最低持続時間の間、光源１に対する最小間隔ｄを下回ると、それによって、前記検出装置２３は、作動中に光源１から放射する光１１の光束を低減する。
【００２８】
以下では図２Ａと図２Ｂに概略的に示されている態様に基づいて、ここで説明するポータブルエレクトロニクスデバイス１０の第２実施例を詳細に説明する。図１Ａ及び図１Ｂに示された第１実施例との違いは、この第２実施例によるデバイス１０は、送信器を何も含んでいない点にある。それどころかここでは光源１自体が送信器２として利用されている。すなわち、送信された信号２１は、作動中に光源１から放射された光１１であり、この光１１が（対象から反射され）受信器３によって反射信号３１として受信されるのである。
【００２９】
次に図３Ａと図３Ｂに概略的に示されている態様に基づいて、ポータブルエレクトロニクスデバイス１０の第３実施例を概略的に説明する。ここでの第３実施例では、検出装置２３が、オートフォーカス送信器６とオートフォーカス受信器７とを含んでいる。すなわち、例えば図１Ａ及び図１Ｂによる実施例に対する限定若しくは違いとして、光源１のビームパス内の対象５を検出するために、当該ポータブルエレクトロニクスデバイス１０に、オートフォーカス装置のコンポーネントが用いられている。さらに付加的に、光源１の光１１のビームパス内の対象５の検出が、前記図１Ａ、図１Ｂに示されている手段、及び／又は、図２Ａ、図２Ｂに基づいて説明した手段によって行うことも可能である。そのためこの装置は、複数の送信器と受信器を含み、それらが互いに独立して作動し得る。
【００３０】
図４Ａと図４Ｂに概略的に示されている、ポータブルエレクトロニクスデバイス１０のさらなる実施例においては、光源１から作動中に生成された光１１のビームパス内の対象５の検出は、光源１と画像センサ４とを含んでいる検出装置２３によって行われている。この実施例では、ポータブルエレクトロニクスデバイス１０が、いずれにせよ光源１と画像センサを含んでいる機器であるケースであり、さらなるセンサと受信器は完全に省かれているものである。光源１と対象５との間の間隔ｘの検出は、例えば画像センサ４による、光１１の送信と反射光の受信との間の伝播時間の差分の検出によって行われ得る。それに対して光源１は、肉眼には知覚不能なパルス制御によって作動され得る。そのため、個々の光パルスが、送信信号２１として、光１１のビームパス内の対象５の検出のために用いられる。
【００３１】
図５Ａ及び図５Ｂに示されている実施例では、対象５の検出が、画像識別装置を用いて行われている。それに対して画像センサ４は、対象５の画像を検出するように構成されている。従ってここでの画像識別装置は、対象を識別すべく画像を評価できるように構成されている。ここでは画像中の対象５の大きさを介して、光源１と対象５との間の間隔ｘが推定されている。
【００３２】
ここに示されている対象５の検出のための手段を、図４Ａ及び図４Ｂに基づいて説明した対象５の検出のための検出装置に結び付けて用いるならば、光１１のビームパス内の対象５を検出するための冗長性のあるシステムが特に簡単に得られる。それに対しては、必ずしもさらなるセンサや受信器をポータブルエレクトロニクスデバイス内に設ける必要はない。
【００３３】
本発明は、図面に基づいて説明してきた前述の実施例に限定されるものではない。それどころか本発明はあらゆる新たな特徴並びにそれらの特徴のあらゆる組み合わせも含み得るものである。このことは特に、特許請求の範囲に含まれている特徴のあらゆる組み合わせにも当てはまり、たとえ、これらの特徴若しくはその組み合わせ自体が特許請求の範囲や前記実施例の説明の中で述べられていなかったとしても否定されるものではない。
【００３４】
この特許出願は、独国特許出願第１０２０１００１１０２９．９号明細書の優先権を主張するものであり、この主張によってその開示内容も本願に反映されるものであることを最後に述べておく。
【図１Ａ】
0005579279.tif 000002
【図１Ｂ】
0005579279.tif 000003
【図２Ａ】
0005579279.tif 000004
【図２Ｂ】
0005579279.tif 000005
【図３Ａ】
0005579279.tif 000006
【図３Ｂ】
0005579279.tif 000007
【図４Ａ】
0005579279.tif 000008
【図４Ｂ】
0005579279.tif 000009
【図５Ａ】
0005579279.tif 000010
【図５Ｂ】
0005579279.tif 000011